【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
ＤＭＢを視聴するためのＤＭＢモジュールと、移動通信機能を遂行するためのモデムモジュールとを備え、前記ＤＭＢモジュールと前記モデムモジュールとが個別的に動作可能なＤＭＢ受信端末機において、
画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ-モデムスイッチ部と、
前記ユーザーの動作モードの選択に応じて、前記ＤＭＢ-モデムスイッチ部を制御して、前記動作モードに従うモジュールに前記画像出力経路と、前記可聴音出力経路と、前記キー入力経路とが連結されるように制御するＤＭＢ-モデムスイッチ制御部と、を備えることを特徴とするＤＭＢ視聴機能と共に通話機能を遂行するＤＭＢ受信端末機。
【請求項２】
前記ＤＭＢ-モデムスイッチ制御部は、前記モデムモジュールに具備されることを特徴とする請求項１に記載のＤＭＢ視聴機能と共に通話機能を遂行するＤＭＢ受信端末機。
【請求項３】
前記ＤＭＢ-モデムスイッチ制御部は、前記ＤＭＢ受信端末機の動作モードがＤＭＢ受信モードの場合に、前記画像出力経路と、前記可聴音出力経路と、前記キー入力経路とが前記ＤＭＢモジュールに連結されるように、前記ＤＭＢ-モデムスイッチ部を制御することを特徴とする請求項１又は請求項２に記載のＤＭＢ視聴機能と共に通話機能を遂行するＤＭＢ受信端末機。
【請求項４】
前記ＤＭＢ-モデムスイッチ制御部は、前記ＤＭＢ受信端末機の動作モードが移動通信を遂行するための移動通信モードの場合に、前記画像出力経路と、前記可聴音出力経路と、前記キー入力経路とが前記モデムモジュールに連結されるように、前記ＤＭＢ-モデムスイッチ部を制御することを特徴とする請求項１又は請求項２に記載のＤＭＢ視聴機能と共に通話機能を遂行するＤＭＢ受信端末機。
【請求項５】
前記移動通信モードは、呼着信又は呼発信に従う通話を処理するコール動作モードと、受信されたＳＭＳメッセージの確認、前記ＳＭＳメッセージの作成及び発信を行うＳＭＳメッセージ動作モードと、受信されたＭＭＳメッセージの確認、前記ＭＭＳメッセージの作成及び発信を行うＭＭＳメッセージ動作モードとの何れか一つであることを特徴とする請求項４に記載のＤＭＢ視聴機能と共に通話機能を遂行するＤＭＢ受信端末機。
【請求項６】
前記ＤＭＢモジュールは、
前記デジタル放送受信端末機において、呼発信、ＳＭＳメッセージやＭＭＳメッセージの作成及び発信を行う発信キーの入力を感知するための発信キー入力感知部と、
前記発信キーの入力を報知する発信キー入力報知信号を前記モデムモジュールに入力するためのモデムモジュールインターフェースと、を備えることを特徴とする請求項２に記載のＤＭＢ視聴機能と共に通話機能を遂行するＤＭＢ受信端末機。
【請求項７】
前記ＤＭＢ-モデムスイッチ制御部は、前記発信キー入力報知信号が入力された場合に、前記画像出力経路と、前記可聴音出力経路と、前記キー入力経路とが前記モデムモジュールに連結されるように、前記ＤＭＢ-モデムスイッチ部を制御することを特徴とする請求項６に記載のＤＭＢ視聴機能と共に通話機能を遂行するＤＭＢ受信端末機。
【請求項８】
前記ＤＭＢ-モデムスイッチ制御部は、前記モデムモジュールが、呼着信又はＳＭＳメッセージやＭＭＳメッセージの受信を感知した場合に、前記ユーザーの選択に応じて前記画像出力経路と、前記可聴音出力経路と、前記キー入力経路とが前記モデムモジュールに連結されるように、前記ＤＭＢ-モデムスイッチ部を制御することを特徴とする請求項１に記載のＤＭＢ視聴機能と共に通話機能を遂行するＤＭＢ受信端末機。
【請求項９】
前記ＤＭＢ-モデムスイッチ部は、
前記ＤＭＢ受信端末機の増幅部に連結される可聴音出力経路を、前記モデムモジュール及び前記ＤＭＢモジュールの何れか一つに連結する可聴音スイッチ部と、
前記ＤＭＢ受信端末機の表示部に連結される画像出力経路を、前記モデムモジュール及び前記ＤＭＢモジュールの何れか一つに連結する画像出力スイッチ部と、
前記ＤＭＢ受信端末機のキー入力部に連結されるキー入力経路を、前記モデムモジュール及び前記ＤＭＢモジュールの何れか一つに連結するキー入力スイッチ部と、を備えることを特徴とする請求項１に記載のＤＭＢ視聴機能と共に通話機能を遂行するＤＭＢ受信端末機。
【請求項１０】
前記ＤＭＢ受信端末機のキー入力部は、前記モデムモジュールが、呼発信又は呼着信に従う通話処理動作を遂行する場合に、前記画像出力経路及び前記キー入力経路を、現在連結しているモジュールとは異なるモジュールに連結するための出力切換キーを備えることを特徴とする請求項９に記載のＤＭＢ視聴機能と共に通話機能を遂行するＤＭＢ受信端末機。
【請求項１１】
前記ＤＭＢ-モデムスイッチ制御部は、前記出力切換キーが入力された場合に、前記画像出力スイッチ部及び前記キー入力スイッチ部を制御して、前記画像出力経路及び前記キー入力経路が前記ＤＭＢモジュールに連結されるようにすることを特徴とする請求項１０に記載のＤＭＢ視聴機能と共に通話機能を遂行するＤＭＢ受信端末機。
【請求項１２】
ＤＭＢを視聴するためのＤＭＢモジュールと、移動通信機能を遂行するためのモデムモジュールとを備え、前記ＤＭＢモジュールと前記モデムモジュールとが個別的に動作可能であり、前記モデムモジュールにより画像出力経路と、可聴音出力経路と、キー入力経路とが、前記ＤＭＢモジュール及び前記モデムモジュールの何れか一つに連結されるようにスイッチングするＤＭＢ受信端末機の通話方法において、
前記モデムモジュールが、ユーザーがＤＭＢ受信を選択した場合に、前記画像出力経路と、前記可聴音出力経路と、前記キー入力経路とを前記ＤＭＢモジュールに連結するＤＭＢモジュール連結ステップと、
前記ＤＭＢモジュールが、前記可聴音出力経路及び前記画像出力経路を介してＤＭＢデータを出力し、前記キー入力経路を介してユーザーのキー入力を受けるＤＭＢ受信ステップと、
前記モデムモジュールが、呼着信を受信した場合に、前記画像出力経路と、前記可聴音出力経路と、前記キー入力経路とを前記モデムモジュールに連結するモデムモジュール連結ステップと、
前記モデムモジュールが、前記呼着信に従う通話が行われるようにする通話処理ステップと、
前記モデムモジュールが、前記通話処理ステップの終了後に、前記画像出力経路と、前記可聴音出力経路と、前記キー入力経路とを、前記ＤＭＢモジュールに再連結するＤＭＢモジュール再連結ステップと、を含むことを特徴とするＤＭＢ視聴機能と共に通話機能を遂行する通話方法。
【請求項１３】
前記モデムモジュール連結ステップは、
前記モデムモジュールが、前記呼着信が受信されたか否かを判別する受信判別ステップと、
ユーザーより前記受信された呼着信に従う通話の可否を承認される通話可否承認ステップと、
前記ユーザーが通話を承認した場合に、前記画像出力経路と、前記可聴音出力経路と、前記キー入力経路とをモデムモジュールに連結する連結ステップと、を含むことを特徴とする請求項１２に記載のＤＭＢ視聴機能と共に通話機能を遂行する通話方法。
【請求項１４】
前記ＤＭＢ受信端末機のキー入力部は、前記モデムモジュールが、前記呼着信が受信された場合に、前記画像出力経路及び前記キー入力経路を、現在連結しているモジュールとは異なるモジュールに連結するための出力切換キーを備えることを特徴とする請求項１２に記載のＤＭＢ視聴機能と共に通話機能を遂行する通話方法。
【請求項１５】
前記通話処理ステップは、
前記モデムモジュールが、前記受信された呼着信に従う通話が行われるようにする受信通話処理ステップと、
前記モデムモジュールが、前記受信通話が終了されたか否かを判別する通話処理終了判別ステップと、
前記モデムモジュールが、前記受信通話が終了されない場合に、前記出力切換キーが入力されたか否かを判別する出力切換キー入力判別ステップと、
前記モデムモジュールが、前記画像出力経路及び前記キー入力経路を、現在連結しているモジュールとは異なるモジュールに連結する経路出力切換ステップと、を含むことを特徴とする請求項１４に記載のＤＭＢ視聴機能と共に通話機能を遂行する通話方法。
【請求項１６】
ＤＭＢを視聴するためのＤＭＢモジュールと、移動通信機能を遂行するためのモデムモジュールとを備え、前記ＤＭＢモジュールと前記モデムモジュールとが個別的に動作可能であり、前記モデムモジュールにより画像出力経路と、可聴音出力経路と、キー入力経路とが、前記ＤＭＢモジュール及び前記モデムモジュールの何れか一つに連結されるようにスイッチングするデジタルマルチメディア受信端末機の通話方法において、
前記モデムモジュールが、ユーザーが前記ＤＭＢの受信モードを選択した場合に、前記画像出力経路と、前記可聴音出力経路と、前記キー入力経路とを前記ＤＭＢモジュールに連結するＤＭＢモジュール連結ステップと、
前記ＤＭＢモジュールが、前記可聴音出力経路及び前記画像出力経路を介してＤＭＢデータを出力し、前記キー入力経路を介してユーザーのキー入力を受けるＤＭＢ受信ステップと、
前記モデムモジュールが、移動通信網からメッセージが受信された場合に、前記画像出力経路と、前記可聴音出力経路と、前記キー入力経路とを前記モデムモジュールに連結するモデムモジュール連結ステップと、
前記モデムモジュールが、前記受信されたメッセージをユーザーが確認可能であるようにするメッセージ処理ステップと、
前記モデムモジュールが、前記メッセージ処理ステップの終了後に、前記画像出力経路と、前記可聴音出力経路と、前記キー入力経路とを前記ＤＭＢモジュールに再連結するＤＭＢモジュール再連結ステップと、を含むことを特徴とするＤＭＢ視聴機能と共に通話機能を遂行する通話方法。
【請求項１７】
前記メッセージは、ＳＭＳメッセージやＭＭＳメッセージであることを特徴とする請求項１６に記載のＤＭＢ視聴機能と共に通話機能を遂行する通話方法。
【請求項１８】
前記モデムモジュール連結ステップは、
前記モデムモジュールが、前記メッセージが受信されたか否かを判別する受信判別ステップと、
ユーザーから前記受信されたメッセージの確認の可否を承認されるメッセージ確認可否承認ステップと、
前記ユーザーがメッセージ確認を承認した場合に、前記画像出力経路と、前記可聴音出力経路と、前記キー入力経路とをモデムモジュールに連結する連結ステップと、を含むことを特徴とする請求項１６に記載のＤＭＢ視聴機能と共に通話機能を遂行する通話方法。
【請求項１９】
ＤＭＢを視聴するためのＤＭＢモジュールと、移動通信機能を遂行するためのモデムモジュールとを備え、前記ＤＭＢモジュールと前記モデムモジュールとが個別的に動作可能であり、前記モデムモジュールにより画像出力経路と、可聴音出力経路と、キー入力経路とが、前記ＤＭＢモジュール及び前記モデムモジュールの何れか一つに連結されるようにスイッチングするＤＭＢ受信端末機の通話方法において、
前記モデムモジュールが、ユーザーが前記ＤＭＢの受信モードを選択した場合に、前記画像出力経路と、前記可聴音出力経路と、前記キー入力経路とを前記ＤＭＢモジュールに連結するＤＭＢモジュール連結ステップと、
前記ＤＭＢモジュールが、前記可聴音出力経路及び前記画像出力経路を介してＤＭＢデータを出力し、前記キー入力経路を介してユーザーのキー入力を受けるＤＭＢ受信ステップと、
前記ＤＭＢモジュールが、前記ＤＭＢ受信端末機において、呼発信又はメッセージの作成及び発信のための発信キーの入力を感知し、これを前記モデムモジュールに報知する発信キー入力感知ステップと、
前記モデムモジュールが、前記発信キーの入力が感知された場合に、前記ユーザーのキー入力に従う動作を遂行する発信キー動作遂行ステップと、
前記モデムモジュールが、前記発信キー動作遂行の終了後に、前記画像出力経路と、前記可聴音出力経路と、前記キー入力経路とを前記ＤＭＢモジュールに再連結するＤＭＢモジュール再連結ステップと、を含むことを特徴とするＤＭＢ視聴機能と共に通話機能を遂行する通話方法。
【請求項２０】
前記発信キー動作は、前記モデムモジュールが、前記ユーザーのキー入力に応じて、呼発信する呼発信動作と、ＳＭＳメッセージやＭＭＳメッセージの作成及び発信を行うメッセージ発信動作との何れか一つであることを特徴とする請求項１９に記載のＤＭＢ視聴機能と共に通話機能を遂行する通話方法。
【請求項２１】
前記ＤＭＢ受信端末機のキー入力部は、前記モデムモジュールが、前記呼発信動作を遂行する場合に、前記画像出力経路及び前記キー入力経路を、現在連結しているモジュールとは異なるモジュールに連結するための出力切換キーを備えることを特徴とする請求項２０に記載のＤＭＢ視聴機能と共に通話機能を遂行する通話方法。
【請求項２２】
前記発信キー動作遂行ステップは、
前記モデムモジュールが、前記呼発信動作の遂行に従う発信通話が行われるようにする発信通話処理ステップと、
前記モデムモジュールが、前記発信通話が終了されたか否かを判別する通話処理終了判別ステップと、
前記モデムモジュールが、前記発信通話が終了されない場合に、前記出力切換キーが入力されたか否かを判別する出力切換キー入力判別ステップと、
前記モデムモジュールが、前記出力切換キーが入力された場合に、前記画像出力経路及び前記キー入力経路を、現在連結しているモジュールとは異なるモジュールに連結する経路出力切換ステップと、を含むことを特徴とする請求項２１に記載のＤＭＢ視聴機能と共に通話機能を遂行する通話方法。
【請求項２３】
デジタル放送の受信が可能なポケットサイズの無線通信端末のマルチタスキング方法であって、
前記受信中である放送データの画面への表示中に、前記放送と関係ない任意のアプリケーション実行要請があるか否かを判断するステップと、
前記任意のアプリケーション実行要請がある場合、前記放送データの受信は中断しない状態で、前記放送データを画面に表示せずに、前記任意のアプリケーション実行に従う表示を画面に行うステップと、
切換要請入力がある場合、前記任意のアプリケーション実行に従う表示を行わずに、前記受信中である放送データを画面に表示するステップと、
を含むことを特徴とする無線通信端末のマルチタスキング方法。
【請求項２４】
前記切換要請入力によって前記受信中である放送データの画面への表示中に、前記切換要請が再び入力されると、前記放送データの受信は中断しない状態で、前記放送データを画面に表示せずに、前記任意のアプリケーション実行に従う表示を画面に行うステップをさらに含むことを特徴とする請求項２３記載の無線通信端末のマルチタスキング方法。
【請求項２５】
前記放送と関係ない任意のアプリケーションは、住所録検索、ショート・メッセージ・サービス（ＳＭＳ）受信、ＳＭＳ発信、ＳＭＳ作成を含む無線通信端末の通常の機能であることを特徴とする請求項２３記載の無線通信端末のマルチタスキング方法。
【請求項２６】
前記任意のアプリケーション実行が完了したか否かを判断するステップと、
前記任意のアプリケーション実行が完了した場合、前記任意のアプリケーション実行に従う表示を行わずに、前記受信中である放送データの表示を画面に行うステップと、
をさらに含むことを特徴とする請求項２４記載の無線通信端末のマルチタスキング方法。
【請求項２７】
デジタル放送の受信が可能なポケットサイズの無線通信端末のマルチタスキング方法であって、
前記受信中である放送データの画面への表示中に、ショート・メッセージ・サービス（ＳＭＳ）作成要請があるか否かを判断するステップと、
前記ＳＭＳ作成要請がある場合、前記放送データ受信は中断しない状態で、前記放送を画面に表示せずに、前記ＳＭＳ作成のための表示を画面に行うステップと、
切換要請入力がある場合、前記ＳＭＳ作成のための表示を行わずに、前記受信中である放送データの表示を画面に行うステップと、を含むことを特徴とする無線通信端末のマルチタスキング方法。
【請求項２８】
前記切換要請入力によって前記受信中である放送データの画面への表示中に、前記切換要請が再び入力されると、前記放送データ受信は中断しない状態で、前記放送データを画面に表示せずに、前記ＳＭＳ作成のための表示を画面に行うステップをさらに含むことを特徴とする請求項２７記載の無線通信端末のマルチタスキング方法。
【請求項２９】
前記ＳＭＳ作成が完了したか否かを判断するステップと、
前記ＳＭＳ作成が完了した場合、前記ＳＭＳ作成のための表示を行わずに、前記受信中である放送データの表示を画面に行うステップと、
をさらに含むことを特徴とする請求項２８記載の無線通信端末のマルチタスキング方法。
【請求項３０】
デジタル放送の受信が可能なポケットサイズの無線通信端末のマルチタスキング方法であって、
前記受信中である放送のビデオ及びオーディオ信号の出力中に、前記放送と関係ない任意のアプリケーション実行要請があるか否かを判断するステップと、
前記任意のアプリケーション実行要請がある場合、前記放送受信は中断しない状態で、前記放送のビデオ及びオーディオ信号を出力せずに、前記任意のアプリケーション実行に従うビデオ及びオーディオ信号を出力するステップと、
切換要請入力がある場合、前記任意のアプリケーション実行に従うオーディオ信号はそのまま出力しながら、前記任意のアプリケーション実行に従うビデオ信号は表示せずに、前記受信中である放送のビデオ信号を画面に表示するステップと、
を含むことを特徴とする無線通信端末のマルチタスキング方法。
【請求項３１】
前記切換要請入力によって前記受信中である放送のビデオ信号の画面への表示中に、前記切換要請が再び入力されると、前記放送受信は中断しない状態で、前記放送のビデオ信号を画面に表示せずに、前記任意のアプリケーション実行に従うビデオ信号を画面に表示するステップをさらに含むことを特徴とする請求項３０記載の無線通信端末のマルチタスキング方法。
【請求項３２】
前記放送と関係ない任意のアプリケーションは、呼受信、呼発信を含む無線通信端末の通常の機能であることを特徴とする請求項３０記載の無線通信端末のマルチタスキング方法。
【請求項３３】
前記任意のアプリケーション実行が完了したか否かを判断するステップと、
前記任意のアプリケーション実行が完了した場合、前記受信中である放送のビデオ及びオーディオ信号を出力するステップと、
をさらに含むことを特徴とする請求項３１記載の無線通信端末のマルチタスキング方法。
【請求項３４】
デジタル放送の受信が可能なポケットサイズの無線通信端末のマルチタスキング方法であって、
前記受信中である放送のビデオ及びオーディオ信号の出力中に、呼受信又は呼発信のための通話接続要請があるか否かを判断するステップと、
呼受信又は呼発信のための通話接続要請がある場合、前記放送受信は中断しない状態で、前記放送のビデオ及びオーディオ信号を出力せずに、前記通話接続実行に従うビデオ及びオーディオ信号を出力するステップと、
切換要請入力がある場合、前記通話接続実行に従うオーディオ信号はそのまま出力しながら、前記通話接続実行に従うビデオ信号は表示せずに、前記受信中の放送のビデオ信号を画面に表示するステップと、
を含むことを特徴とする無線通信端末のマルチタスキング方法。
【請求項３５】
前記切換要請入力によって前記受信中である放送のビデオ信号の画面への表示中に、前記切換要請が再び入力されると、前記放送受信は中断しない状態で、前記放送のビデオ信号を画面に表示せずに、前記通話接続実行に従うビデオ信号を画面に表示するステップをさらに含むことを特徴とする請求項３４記載の無線通信端末のマルチタスキング方法。
【請求項３６】
前記呼受信又は呼発信によって接続された通話が完了したか否かを判断するステップと、
前記接続された通話が完了した場合、前記受信中である放送のビデオ及びオーディオ信号を出力するステップをさらに含むことを特徴とする請求項３５記載の無線通信端末のマルチタスキング方法。